(57)【特許請求の範囲】
【請求項１】
本体の先端に毛髪を切断する刃部を備えたヘアーカッターであって、
前記刃部で毛髪を切断する際に前記刃部の先端周辺で皮膚に当接する当接部材が前記本体に固定されて設けられ、
前記刃部は、外方に向けて突出する櫛歯状の固定刃と可動刃を有し、前記可動刃が前記固定刃の前側で前記固定刃に摺接して往復駆動され、
前記当接部材は、先端が皮膚当て面となっている櫛歯部を多数並設した櫛部材を、前記刃部を挟んでその前後両側にそれぞれ有し、
前側の前記櫛部材の前記皮膚当て面と後側の前記櫛部材の前記皮膚当て面とは、同一平面上に位置し、
前後の前記櫛部材の間において、前記固定刃はその先端が前記皮膚当て面よりも外方に位置するように配置され、前記可動刃はその先端が前記皮膚当て面よりも内方に位置するように配置され、
前記皮膚当て面は、前記刃部の突出方向と略直角に配置されていることを特徴とするヘアーカッター。
【発明の詳細な説明】
【技術分野】
【０００１】
本発明は、毛髪を短く刈り揃えるのに用いるヘアーカッターに関するものである。
【背景技術】
【０００２】
一般にヘアーカッターとして最も一般的なのは、図７に示す所謂バリカンであるが、毛髪を短く刈り揃える揚合、頭皮Ｇに直接刃を当てて毛髪Ｈを切断している。
【０００３】
また、家庭でも比較的熟練を要せず調髪できるヘアーカッターとして、特許文献１のヘアーカッターが知られている。
【０００４】
この特許文献１のヘアーカッターは、本体の先端に毛髪を切断する刃部を有すると共に刃部の先端から突出して頭皮と刃部との間の間隔が所定間隔になるように支持する支持部材を有する。支持部材の先端を頭皮に当接して本体を頭部の上方から下方に移動させて毛髪を刃部で切断する。本体を移動させて毛髪を切断するとき毛髪を押さえる押さえ部を刃部の刃面と略平行に設けると共にこの押さえ部を刃部の切断作用部より後方に位置させるようにした。これにより、手早く、簡単に誰でも全体を均一に切断できるようにしたものである。
【先行技術文献】
【特許文献】
【０００５】
【特許文献１】特開平８−１８７３７４号公報
【発明の概要】
【発明が解決しようとする課題】
【０００６】
ところが、前者のバリカンでは、図７（ａ）のように、本体２を前方Ｄに押しながら切断する揚合は本体２の先端が頭皮Ｇに当るので刃部３で安全に切断できる。しかし図７（ｂ）のように、刃部３の刃先方向を頭皮Ｇと垂直にして、本体２を後方Ｅに引きながらカット（引き切り）をする場合は、刃部３の刃先に押し付ける力が頭皮Ｇに集中しやすくなるため、刃で皮膚を傷つけるおそれがある。そのため図７（ｂ）のような引き切りは、取扱い説明書などで禁止事項として書かれていた。しかしユーザーがこれを知らずに誤使用をする可能性があった。
【０００７】
また、後者の特許文献１に示される従来例にあっては、刃部と頭皮との間に所定の間隔がある為、短く刈り揃えることには適さないものであった。
【０００８】
本発明は上記の事情に鑑みてなされたものであって、その目的とするところは、刺激低減ができて安全でしかもきれいな仕上がりで、毛髪を短く刈り揃えることが可能なヘアーカッターを提供することにある。
【課題を解決するための手段】
【０００９】
前記の課題を解決するために、本発明は、本体の先端に毛髪を切断する刃部を備えたヘアーカッターであって、前記刃部で毛髪を切断する際に前記刃部の先端周辺で皮膚に当接する当接部材が前記本体に固定されて設けられ、前記刃部は、外方に向けて突出する櫛歯状の固定刃と可動刃を有し、前記可動刃が前記固定刃の前側で前記固定刃に摺接して往復駆動され、前記当接部材は、先端が皮膚当て面となっている櫛歯部を多数並設した櫛部材を、前記刃部を挟んでその前後両側にそれぞれ有し、前側の前記櫛部材の前記皮膚当て面と後側の前記櫛部材の前記皮膚当て面とは、同一平面上に位置し、前後の前記櫛部材の間において、前記固定刃はその先端が前記皮膚当て面よりも外方に位置するように配置され、前記可動刃はその先端が前記皮膚当て面よりも内方に位置するように配置され、前記皮膚当て面は、前記刃部の突出方向と略直角に配置されていることを特徴としている。
【発明の効果】
【００１４】
本発明に係るヘアーカッターは、刺激低減ができて安全でしかもきれいな仕上がりで、毛髪を短く刈り揃えることが可能となる。
【図面の簡単な説明】
【００１５】
【図１】本発明の一実施形態であり、ヘアーカッターの本体の先端に当接部材を装着した状態の側面断面図である。
【図２】（ａ）は同上の本体全体の斜視図、（ｂ）は本体の先端に当接部材を装着した状態の斜視図である。
【図３】同上の当接部材の斜視図である。
【図４】同上の本体の刃部が固定刃と可動刃とで構成される場合において、固定刃先端と可動刃先端と皮膚当て面との位置関係を説明する側面断面図である。
【図５】（ａ）は同上の本体を前方に押しながらカットする揚合の説明図であり、（ｂ）は同上の本体を後方に引きながらカットする場合の説明図である。
【図６】同上の櫛部材の変形例を説明する斜視図である。
【図７】従来のバリカンの使用例を示し、（ａ）はバリカンを前方に押しながらカット（押し切り）する揚合を示し、（ｂ）はバリカンを後方に引きながらカット（引き切り）する場合を示す側面図である。
【発明を実施するための形態】
【００１６】
以下、本発明の実施の形態について、図面を参照しながら説明する。
【００１７】
ヘアーカッター１は、図２に示すように、所謂バリカンと称される本体２と、本体２の先端２ａに取り付けられる当接部材１０とで構成されている。
【００１８】
本体２の先端２ａには、図１に示すように、刃部３が設けられる。この刃部３は、櫛歯状の固定刃４と、固定刃４に摺接して固定刃４に対して往復駆動する櫛歯状の可動刃５とで構成される。可動刃５は本体２内に内装した駆動機構（図示略）にて電動で往復駆動される。可動刃５を往復駆動することにより固定刃４と可動刃５との間で毛髪を切断するようになっている。
【００１９】
刃部３の刃先周辺には、刃部３で毛髪を切断する際に頭皮Ｇ（皮膚）に当接する当接部材１０が配置されている。この当接部材１０は、本体２に対して着脱可能に固定される固定筒部１４の先端部に一体に形成されている。図２中の１５は着脱用の操作釦である。
【００２０】
当接部材１０は、図３に示すように、櫛歯部１２を多数並設した櫛部材１３で構成されている。櫛部材１３は、複数の櫛歯部１２が刃部３の刃幅方向Ｆに等間隔をあけて互いに平行に並設されている。各櫛歯部１２の先端が、それぞれ、面一状の皮膚当て面１１となっている。
【００２１】
本例の櫛部材１３は、刃部３を挟んでその前方Ｄと後方Ｅの両側にそれぞれ配置されている。また櫛部材１３の先端の皮膚当て面１１は、図１に示すように、刃部３の突出方向Ａと略直角に配置されている。ここでは、皮膚当て面１１は側面から見て刃部３の突出方向Ａと直角な直線状に延びている。この皮膚当て面１１の重要な機能は、皮膚に対する刃部３先端の押圧力が高くなり過ぎないように刃部３を安定保持することにある。過度の押圧力は、皮膚が刃部３と接触して皮膚の損傷及び刺激に伴う不快感をもたらす。そこで、皮膚当て面１１によってかかる刺激低減が図られる。
【００２２】
上記刃部３の突出方向Ａは、本体２の長手方向Ｂに対して先端に行く程前方Ｄに位置するように傾斜している。また刃部３の先端は、皮膚当て面１１から少しの所定寸法で外方に向けて突出配置されている。図４に示すように、固定刃４先端が頭皮Ｇに当たる皮膚当て面１１よりも所定寸法Ｍだけ外方に突出配置されており、可動刃５先端が皮膚当て面１１よりも所定寸法Ｎだけ内方に入り込んだ位置に配置されている。なお、上記Ｍ、Ｎの寸法は適宜に設計変更自在である。
【００２３】
しかして、上記構成のヘアーカッター１の本体２を手で持ち、図５（ａ）に示すように、櫛部材１３先端の皮膚当て面１１を頭皮Ｇに当てながら、本体２を前方Ｄに押して毛髪Ｈを刃部３でカット（押し切り）する。このとき、刃部３の刃先方向が頭皮Ｇと垂直になっていても、皮膚当て面１１が頭皮Ｇに密着することで櫛部材１３が安定化して、皮膚の刺激を低減できる。一方、図５（ｂ）に示すように、本体２を後方Ｅに移動させて毛髪Ｈを刃部３でカット（引き切り）する場合であっても、皮膚当て面１１の存在によって刃部３を押し付ける力が頭皮Ｇに集中しにくくなり、皮膚の刺激低減効果が得られ、皮膚が傷つきにくくなる。そのうえ、上記押し切り、引き切りのいずれの場合も、櫛部材１３先端が皮膚当て面１１となっているので、切断されるべき毛髪Ｈが切断前に皮膚当て面１１によって起毛・整毛されやすくなり、そのうえ複数の櫛歯部１２で毛髪Ｈが梳かされることで、刃部３が毛髪Ｈを捕捉しやすくなり、切断性が向上する。この結果、熟練者でなくても、簡単に誰でも、安全で且つきれいな仕上がりが得られる。
【００２４】
また、櫛部材１３を刃部３の前後両側にそれぞれ配置しているので、刃部３の両側で皮膚当て面１１が頭皮Ｇを押さえるようになる。これにより櫛部材１３がより安定したものとなり、一層の刺激低減効果が得られる。
【００２５】
しかも、櫛部材１３先端の皮膚当て面１１は、刃部３の突出方向Ａと略直角に配置されているので、皮膚当て面１１によって刃部３の刃先で頭皮Ｇを傷つけにくくしながら、刃部３への毛髪の導入性を確保できる利点もある。
【００２６】
さらに、固定刃４先端のみを皮膚当て面１１よりも突出して配置し、可動刃５先端は皮膚当て面１１からは突出させないように配置した。これにより、固定刃４先端を頭皮Ｇに密着させながら、可動刃５先端を頭皮Ｇに押し付けないようにして毛髪Ｈを切断でき、可動刃５先端により頭皮Ｇが傷つき難くすることができる。
【００２７】
また、複数の櫛歯部１２間の隙間は、それぞれ、前方Ｄ及び後方Ｅにそれぞれ開放されているので、切断された毛髪Ｈが刃部３の近傍に溜まることなく櫛歯部１２の側縁１２ａ側（図１）から櫛歯部１２間の隙間にガイドされてスムーズに排出されるようになる。そのうえ櫛部材１３は本体２に対して着脱可能であるので、刃部３や櫛部材１３の清掃も容易にできる。
【００２８】
前記実施形態では、櫛部材１３を刃部３の前方Ｄと後方Ｅの両側にそれぞれ設けたが、櫛部材１３は少なくとも前方Ｄに設けられていればよく、後方Ｅの櫛部材１３は省略可能である。つまり、刃部３の刃先方向を頭皮Ｇと垂直にした時に頭皮Ｇと本体２の長手方向Ｂとのなす角度が鋭角α（図４参照）側となる前方Ｄのみに櫛部材１３を設けることで、前方Ｄに押し切りする場合は、図５（ａ）に示す使用態様と、図７（従来例）に示す使用態様とのどちらかを自由に選択できるようになる。一方、後方Ｅに引き切りする場合は、前方Ｄの皮膚当て面１１を頭皮Ｇに当接させるようにして図５（ｂ）の使用態様を選択することで、従来の引き切り（図７（ｂ））からは得られない、刺激低減効果が得られるようになる。また本例のように後方Ｅの櫛部材１３を省略することで、櫛部材１３全体をコンパクト化できる利点もある。
【００２９】
また前記実施形態では、皮膚当て面１１を刃部３の突出方向Ａと直角に直線状に形成したが、他例として、図６のように円弧形状としてもよい。つまり、皮膚当て面１１を刃部３に近い端部が最も高く、刃部３から遠ざかる程漸次低くなるような円弧状に形成してもよい。この場合、耳の後ろなどの狭い頭皮部分にも皮膚当て面１１を当てやすくなり、切断作業がはかどる。
【００３０】
また、前記実施形態では、可動刃５先端を皮膚当て面１１から突出しないように配置したが、可動刃５先端を皮膚当て面１１よりも外方に突出配置する構成も可能である。
【符号の説明】
【００３１】
１  ヘアーカッター
２  本体
２ａ  先端
３  刃部
４  固定刃
５  可動刃
１０  当接部材
１１  皮膚当て面
１２  櫛歯部
１３  櫛部材
Ａ  刃部の突出方向
Ｂ  本体の長手方向
Ｄ  前方
Ｅ  後方
Ｇ  頭皮
Ｈ  毛髪
α  鋭角
【図１】
0005821005.tif 000002
【図２】
0005821005.tif 000003
【図３】
0005821005.tif 000004
【図４】
0005821005.tif 000005
【図５】
0005821005.tif 000006
【図６】
0005821005.tif 000007
【図７】
0005821005.tif 000008